(57)【要約】【課題】1枚のスカーフによって、各自の肌色を引き立たせる色はどの色か判断し易く、他の色系との比較が簡単で選択容易なスカーフの提供にある。【解決手段】スカーフ生地を4区分した各区分に、肌色を引き立たせる４種類に区分した黄色系、緑系、青色系、赤系、無彩色系の各色相カラーを着色したことを特徴とする。【選択図】  図1
0003103480.tif 000002
【実用新案登録請求の範囲】
【請求項１】
スカーフ生地を4区分した各区分に、肌色を引き立たせる４種類に区分した黄色系、緑系、青色系、赤系、無彩色系の各色相カラーを着色したことを特徴とするスカーフ。
【考案の詳細な説明】
【技術分野】
【０００１】
本考案は、スカーフを使用する人の肌色を引き立たせる色が容易に選択できるスカーフに関する。
【背景技術】
【０００２】
今日、自分を輝かせる色彩はどのような色なのか、各自は非常に敏感で、どの色が最も自分を引き立たせるか関心が高い。
特にスカーフを購入する際は、その人を引き立たせる色は、その人の肌色により決まるので、色々な色彩のスカーフを試着し、自分に合った色のスカーフを選択していた。
【０００３】
また、スカーフ購入者は、何種類もの色彩の異なるスカーフを同時に試着し、自分に合った色のスカーフか否かを判断していた。
例えば、色彩心理を利用して意識変換を行なえる意識変換用スカーフがあるが、意識変換が行なえるだけで、自分に合った色のスカーフか否かを判断することはできない。
この様に、自分を輝かせる色彩はどのような色か、その判断が難しく、自分に合った色のスカーフ購入は容易ではなかった。
【特許文献１】特開平9‐316707号公報
【考案の開示】
【考案が解決しようとする課題】
【０００４】
そこで、本考案は、1枚のスカーフによって、各自の肌色を引き立たせる色はどの色か判断し易く、他の色系との比較が簡単で選択容易なスカーフの提供にある。
【課題を解決するための手段】
【０００５】
本考案に係るスカーフは、スカーフ生地を4区分した各区分に、肌色を引き立たせる４種類に区分した黄色系、緑系、青色系、赤系、無彩色系の各色相カラーを着色したことを特徴とする。
【考案の効果】
【０００６】
1枚のスカーフに4種類の色が着色されており、4種類の色によって、各自の肌を引き立たせる色はどれか判断し易く、容易に各自の肌色を肌色を引き立たせる色が選択し易くなる。
【考案を実施するための最良の形態】
【０００７】
本考案に係る一実施例を図1乃至図7に基づき説明する。
図中、スカーフＳは、スカーフ生地を4区分してなり、各区分Ｓ１、Ｓ２、Ｓ３、Ｓ４には、4種類に区分した肌色を引き立たせる黄色系、緑系、青色系、赤系、無彩色系の各色相カラーを着色してなる。
【０００８】
この4種類に区分した肌色を引き立たせる黄色系、緑系、青色系、赤系、無彩色系の各色相カラーは、図5乃至図7に示す様に、色相比較システムボードから選択している。
【０００９】
色相比較システムボードにつき説明する。この色相比較システムボード１は、使い易くする為、左右二つ折りに重ねることができ、使用しない際には、二つ折りに重ねておき、使用時には、二つ折りを開いて図示の様にする。
【００１０】
色相比較システムボード１は、枠内を左右方向に4区分すると共に、枠内を上下方向に5区分してなり、左右方向には人の肌色に区分した肌色区分欄２，３，４，５とし、上下方向には色の種類に区分した色系区分欄６，７，８，９，１０としてなる。
【００１１】
前記肌色区分欄２，３，４，５は、図示左側からｓｕｍｍｅｒ２、ｗｉｎｔｅｒ３、ｓｐｒｉｎｇ４、ａｕｔｕｍｎ５としている。
この様に肌色を4区分にしているのは、日本人の肌色を引き立たせるには、通常、4種類に分類することが理解し易いからである。
ここでは、肌色の分類を4区分としているが、肌色の分類は5種類、6種類でもよく、その場合には、肌色区分欄は5区分、6区分と区分すればよい。
また、肌色区分欄２，３，４，５は、図示左側からｓｕｍｍｅｒ２、ｗｉｎｔｅｒ３、ｓｐｒｉｎｇ４、ａｕｔｕｍｎ５として記載しているが、この名称はｓｕｍｍｅｒ２、ｗｉｎｔｅｒ３、ｓｐｒｉｎｇ４、ａｕｔｕｍｎ５に限るものではなく、他の適当な名称であっても良い。例えば、天、地、水、火などである。
【００１２】
次に、色系区分欄６，７，８，９，１０について説明する。この色系区分欄６，７，８，９，１０は上下方向に色の種類を5区分に区分している。
上から、黄色系６、緑系７、青色系８、赤系９、無彩色系１０、というように、5種類に区分している。
色系区分欄６，７，８，９，１０は前述の様に、上から黄色系６、緑系７、青色系８、赤系９、無彩色系１０としているが、色の種類は任意に変えることができる。
例えば、赤系、白系とすることもでき、更には、この赤系、白系を上記に加える事もできる。すなわち、色の種類の増減ができる。
【００１３】
前述では、上下方向に色系区分欄６，７，８，９，１０を、左右方向に肌色区分欄２，３，４，５としているが、上下方向に肌色区分欄２，３，４，５を、
左右方向に色系区分欄６，７，８，９，１０としても良い。
そして、肌色区分欄２，３，４，５と色系区分欄６，７，８，９，１０との交差した区分欄１１，１２，１３、…・２９，３０には、その20区分欄に肌色を引き立たせる色系の色相カラーを記載している。
【００１４】
図6，7に示す様に、例えば、肌色区分欄のｓｕｍｍｅｒ２に対応する色系区分欄の赤系９の区分欄１４には、肌色区分欄のｓｕｍｍｅｒ２の肌色を引き立たせる赤系９の色相カラーを記載している。
この赤系９の色相カラー３１，３２，３３，…３６，３７は複数色記載されている。
【００１５】
更に、肌色区分欄のｗｉｎｔｅｒ３に対応する色系区分欄の赤系９の区分欄１９には、肌色区分欄のｗｉｎｔｅｒ３の肌色を引き立たせる赤系９の色相カラー４１，４２、…４７，４８を複数記載している。
このように、肌色区分欄２，３，４，５と色系区分欄６，７，８，９，１０との交差した区分欄１１，１２，１３、…・２９，３０には、その20区分欄に肌色を引き立たせる色系の色相カラーを記載しているが、それぞれの区分欄１１，１２，１３、…・２９，３０の同位置には、各肌色区分欄２，３，４，５の肌色を引き立たせる黄色系６、緑系７、青色系８、赤系９、無彩色系１０の色相カラーを記載している。
【００１６】
例えば、肌色区分欄のｓｕｍｍｅｒ２に対応する色系区分欄の赤系９の区分欄１４には、肌色区分欄のｓｕｍｍｅｒ２の肌色を引き立たせる赤系９の色相カラー３１，３２，３３，…３６，３７を複数記載し、肌色区分欄のｗｉｎｔｅｒ３に対応する色系区分欄の赤系９の区分欄１９には、肌色区分欄のｗｉｎｔｅｒ３の肌色を引き立たせる赤系９の色相カラー４１，４２、…４７，４８を複数記載しているが、肌色区分欄のｓｕｍｍｅｒ２の肌色を引き立たせる赤系９の色相カラー３１と、肌色区分欄のｗｉｎｔｅｒ３の肌色を引き立たせる赤系９の色相カラー４１とは同位置であり、比較し易くしている。
【００１７】
スカーフＳの各区分Ｓ１、Ｓ２、Ｓ３、Ｓ４には、各肌色区分欄２，３，４，５の肌色を引き立たせる黄色系６、緑系７、青色系８、赤系９、無彩色系１０の色相カラーを着色している。
例えば、4種類に区分されている赤系９の色相カラー３１，４１，５１，６１がスカーフＳの各区分Ｓ１、Ｓ２、Ｓ３、Ｓ４に着色されている。
すなわち、肌色を引き立たせる黄色系６、緑系７、青色系８、赤系９、無彩色系１０の色相カラーを肌色ごとに4区分しており、各肌色に区分した黄色系６、緑系７、青色系８、赤系９、無彩色系１０の色相カラーから4種類を着色している。
【００１８】
このスカーフは、図2に示す様に、上下を重ね、図3に示す様に、首に巻いていずれか1区分Ｓ２，Ｓ４を表側に出すと、肌色を引き立たせる赤系９の色彩か容易に判断できる。
スカーフＳの左右を重ね、首に巻いていずれか1区分Ｓ１，Ｓ３を表側に出すこともでき、１つのスカーフで赤系９のどの色が肌色を引き立たせるかが簡単に判断できる。
【００１９】
上述では、スカーフＳはスカーフ生地を4区分した場合につき説明したが、図4に示す様に、スカーフ生地を4区分し、更に、内側を4区分Ｓ５、Ｓ６、Ｓ７、Ｓ８しても良く、この４区分Ｓ５、Ｓ６、Ｓ７、Ｓ８に、4種類に区分されている赤系９の色相カラーを着色しても良い。
また、スカーフＳの各区分には、4種類に区分されている黄色系６、緑系７、青色系８、赤系９、無彩色系１０のいずれかの色相カラーを着色すれば良い。
【図面の簡単な説明】
【００２０】
【図１】本考案に係るスカーフの平面図である。
【図２】図1に示すスカーフを重ねる状態を示す説明図である。
【図３】図1に示すスカーフの使用状態を示す説明図である。
【図４】本考案に係る他の実施例を示すスカーフの平面図である。
【図５】本考案に係るスカーフに着色する際の色相比較システムボードの説明図である。
【図６】図5に示す色相比較システムボードの拡大図である。
【図７】図5に示す色相比較システムボードの拡大図である。
【符号の説明】
【００２１】
１  色相比較システムボード
２，３，４，５  肌色区分欄
６，７，８，９，１０  色系区分欄
１１，１２，１３，１４、・・２９，３０  区分欄
【図１】
0003103480.tif 000003
【図２】
0003103480.tif 000004
【図３】
0003103480.tif 000005
【図４】
0003103480.tif 000006
【図５】
0003103480.tif 000007
【図６】
0003103480.tif 000008
【図７】
0003103480.tif 000009